(57)【要約】【課題】シンプルで、収納された商品を取り扱いやすいディスプレイスタンドを提供する。【解決手段】前後が立ち上がり前後に延びた第１の部材１０と、左右が立ち上がり左右に延びた第２の部材２０とが十字に組み合わされ、第１の部材の前後の立ち上がり１１および１２、および第２の部材２０の左右の立ち上がり２１および２２に断続的に囲まれた収納スペース２が設けられているディスプレイスタンド１を提供する。このディスプレイスタンドは、さらに、第１の部材の前後の立ち上がりを、前方の立ち上がりより後方の立ち上がりが高くなるように支持する第３の部材３０を有する。【選択図】図５
0003205978.tif 000002
【実用新案登録請求の範囲】
【請求項１】
少なくとも前方が立ち上がり前後に延びた第１の部材と、
左右が立ち上がり左右に延びた第２の部材とが十字に組み合わされ、前記第１の部材の前記前方の立ち上がりおよび前記第２の部材の左右の立ち上がりに断続的に囲まれた収納スペースが設けられているディスプレイスタンド。
【請求項２】
長方形の収納スペースを有するディスプレイスタンドであって、
前記収納スペースの左右の長さより短い前方の立ち上がりを含む第１の部材と、
前記収納スペースの前後の長さより短い左右の立ち上がりを含む第２の部材とを有するディスプレイスタンド。
【請求項３】
請求項１または２において、前記収納スペースの前方より後方が高くなるように支持する第３の部材を有する、ディスプレイスタンド。
【請求項４】
請求項１ないし３のいずれかにおいて、前記第１の部材は、前記収納スペースの後方に、後方の立ち上がりを含む、ディスプレイスタンド。
【請求項５】
請求項４において、前記第１の部材の前記後方の立ち上がりに続いて、上方に向けてポップを取り付ける第４の部材を有する、ディスプレイスタンド。
【請求項６】
請求項１ないし５のいずれかにおいて、前記収納スペースは長方形の単一の商品を垂直方向に一列に積み上げるサイズである、ディスプレイスタンド。
【請求項７】
請求項１ないし６のいずれかにおいて、前記第１の部材および前記第２の部材は、輪郭に沿って曲げられた棒状の部材をそれぞれ含む、ディスプレイスタンド。
【請求項８】
請求項１ないし７のいずれかに記載のディスプレイスタンドが、前後および／または左右に複数並べられたディスプレイスペース。
【考案の詳細な説明】
【技術分野】
【０００１】
本考案は、長方形の収納スペースを有するディスプレイスタンドに関するものである。
【背景技術】
【０００２】
特許文献１は、より多数種類の陳列を可能とする陳列装置を提供することを目的とする。そのため、特許文献１の陳列装置は、装置本体を、左支持板と右支持板と上段陳列ユニットと中段陳列ユニットと下段陳列ユニットとで構成する。各陳列ユニットは、陳列物を立てた状態で収容する収容部を備え、各収容部は、上下方向及び左右方向に配列されている。前記各陳列ユニットでは、上下方向に配置された各収容部を下段から上段へ向かうに従って後側にずれるように配置し、各収容部を上方開口状に形成する。後側に配置された収容部を、下側にずらして配置し、前側の収容部の裏側に後側の収容部の下側の一部を配置する。この装置本体は、横幅寸法が５７ｃｍ高さ寸法Ｈが１２３ｃｍに設定されている。
【先行技術文献】
【特許文献】
【０００３】
【特許文献１】実用新案登録第３１３６５０５号公報
【考案の概要】
【考案が解決しようとする課題】
【０００４】
多種類の商品を顧客に提供するビジネス、例えば、種子類の販売などのビジネスにおいては顧客の選択肢を増やすことを目的として多種類の陳列を前提とする装置、特に、多種類の種を段積みして一か所に集中して展示する装置が用いられている。これに対し、本願出願人は、他の商品と隣接して１または複数の種類の商品、例えば種（種袋）を分散して展示したり、入れ替えて展示したり、また、レジのカウンタの上や、野菜などと並べて展示したりすることにより、対象とする商品に対する顧客の購買意欲を喚起する新しい展示方法を検討しており、それに適したディスプレイスタンドが求められている。
【課題を解決するための手段】
【０００５】
本考案の一態様は、少なくとも前方が立ち上がり前後に延びた第１の部材と、左右が立ち上がり左右に延びた第２の部材とが十字に組み合わされ、第１の部材の前方の立ち上がりおよび第２の部材の左右の立ち上がりにより断続的に囲まれた収納スペースが設けられているディスプレイスタンドである。典型的には第１の部材は前後方向に長く、第２の部材は左右方向に長い部材である。
【０００６】
本考案の他の態様の１つは、長方形の収納スペースを有するディスプレイスタンドであって、収納スペースの左右の長さより短い前方の立ち上がりを含む第１の部材と、収納スペースの前後の長さより短い左右の立ち上がりを含む第２の部材とを有するディスプレイスタンドである。
【０００７】
このディスプレイスタンドは、収納スペースを、長方形の単一の商品を垂直方向に一列に積み上げるサイズにしたときであっても、第１の部材の前方の立ち上がりと第２の部材の左右の立ち上がりとにより、収納スペースの少なくとも三方を断続的に囲むことができ、商品を支持できる。さらに、前方および左右の立ち上がり同士に隙間が設けられるので、積み重ねられた商品を出し入れしやすく、顧客が容易に手に取って商品を確認できる。また、このディスプレイスタンドは、第１の部材と第２の部材とで商品を囲うシンプルな形状なので、収納および展示する商品が見やすく、顧客の購買意欲を刺激しやすい。さらに、このディスプレイスタンドは１種類または２種類程度の限られた種類の商品を収納するのに適したサイズに第１の部材および第２の部材をアレンジすることが容易であり、限られた種類の商品を、様々な場所に分散して展示するディスプレイスタンドとして適している。
【０００８】
このディスプレイスタンドは、収納スペースの前方より後方が高くなるように支持する第３の部材を有していてもよい。ディスプレイスタンドを前後に傾けることにより、収納スペース内の商品を正面から見えやすく展示できる。さらに、商品が前方の立ち上がりに沿って揃えられた状態で配置されるため、商品をきれいにディスプレイできる。
【０００９】
第１の部材は、収納スペースの後方に、後方の立ち上がりを含んでもよい。収納スペースを４方向から断続的に囲むことにより、収納スペースに積み重ねられる商品が荷崩れしにくい。
【００１０】
このディスプレイスタンドは、第１の部材の前後の立ち上がりのうちの後方の立ち上がりに続いて、上方に向けてポップを取り付ける第４の部材を有していてもよい。ディスプレイスタンドとは別に商品タグなどを配置する必要がなく、ポップも含めてコンパクトなスタンドを提供できる。
【００１１】
ディスプレイスタンドの収納スペースは長方形の単一種類の商品を垂直方向に一列に積み上げるサイズであってもよい。商品の表面を上側に向けて収納できるため、商品の表面を見やすくディスプレイできるとともに、商品のサイズとほぼ同サイズのコンパクトなディスプレイスタンドを提供できる。
【００１２】
第１の部材および第２の部材は、輪郭に沿って曲げられた棒状の部材をそれぞれ含むものであってもよい。軽量でコンパクトなスタンドを提供できるとともに、輪郭を形成する棒状部材の間からも商品が見えやすく、商品を配置したり取り出したりしやすい。
【００１３】
本考案の他の異なる態様の１つは、上記のディスプレイスタンドが前後および／または左右に複数並べられたディスプレイスペースである。ディスプレイスタンドが配置される場所にあわせて、複数種類の商品を見やすく、コンパクトにディスプレイできる。
【図面の簡単な説明】
【００１４】
【図１】ディスプレイスタンドの全体構成を示す斜視図。
【図２】ディスプレイスタンドの構成を展開して示す斜視図。
【図３】ディスプレイスタンドに商品を入れた状態を示す側面図。
【図４】ディスプレイスタンドに商品を入れた状態を示す正面図。
【図５】ディスプレイスタンドに商品を入れた状態を示す斜視図。
【図６】商品を入れたディスプレイスタンドが複数個並べられたディスプレイスペースを示す斜視図。
【図７】異なるディスプレイスタンドに商品を入れた状態を示す側面図。
【考案を実施するための形態】
【００１５】
図１に、ディスプレイスタンドの全体構成を斜視図により示している。このディスプレイスタンド１は、たとえば野菜や花などの種子や球根などが包装された長方形の袋（商品、製品、種袋）５などを収納した状態で、店舗に配置されるスタンド（ケース、容器、什器、単品什器、平台用単品什器）である。典型的なディスプレイスタンド１は、１つの種類の商品（袋）５を垂直方向に一列に積み上げて収納できるサイズであり、店舗内に１つの種類の商品が展示できるスペースがあればどこにでも商品５が見やすい状態で展示できる。例えば、旬や、お勧めの１種類または数種類の商品を売り場のテーブルに集中して展示して顧客の購買意欲を刺激したり、イベントや販促の際に、他の商品とともに集中して展示したり、レジカウンタの上などに配置（展示、ディスプレイ）して顧客が容易に手に取って見られるようにしたりなど、様々な場所、様々な方法で商品を展示して顧客の購買意欲を刺激できる。
【００１６】
ディスプレイスタンド１は、ディスプレイスタンド１の前後１１および１２が立ち上がり、前後（Ｙ方向）に延びた、前後方向に長い第１の部材１０と、ディスプレイスタンド１の左右２１および２２が立ち上がり、左右（Ｘ方向）に延びた、左右方向に長い第２の部材２０とを有する。第１の部材１０と第２の部材２０とは十字に組み合わされ、第１の部材１０の前後の立ち上がり１１および１２、および第２の部材２０の左右の立ち上がり２１および２２に断続的に囲まれた長方形の収納スペース２が形成されている。ディスプレイスタンド１は、第３の部材３０により収納スペース２が前方１ｆに傾斜するように構成され、第１の部材１０の後方の立ち上がり１２には、商品の説明・宣伝などが記載されるポップを取り付ける部分（第４の部材）４０が設けられている。さらに、前後左右の立ち上がり１１、１２、２１および２２同士の間には隙間３が開くので、収納された商品のコーナ部分にディスプレイスタンド１の側方からアクセスでき、商品を出し入れしやすい構造となっている。
【００１７】
図２に、ディスプレイスタンド１を構成する部品を展開して示している。第１の部材１０は、前方の立ち上り（前方支持部、前側部）１１と、後方の立ち上がり（後方支持部、後側部）１２と、前方の立ち上がり１１および後方の立ち上がり１２を接続するベース部（底部）１３とを含む。第１の部材１０の幅Ｍ１は、収納スペース２に収納される袋などの商品５の左右の長さＬ１よりも短くなるように構成されている。第１の部材１０は、第４の部材４０とともに棒状の部材８、例えば、アルミニウムあるいはステンレススチール製で直径が１〜１０ｍｍ、好ましくは２〜８ｍｍ、さらに好ましくは３〜６ｍｍ程度の部材（棒材、線材、ロッド）が細長いベース部１３から両端部を前後の立ち上がり１１および１２を構成するように折り曲げられている。したがって、第１の部材１０は、第４の部材４０も含めて、棒状の部材８が輪郭に沿って曲げられ、輪郭が棒状の部材８により形成されたシンプルな構成となっている。
【００１８】
第４の部材４０は、後方の立ち上がり１２の先端が、後方の立ち上がり１２とは逆向きに折り返されて形成された先端部４１を有する。第４の部材４０には、上方に向けて収納スペース２に配置された商品５に関するポップ（広告）等を取り付けることができ、ディスプレイスタンド１の取ってとしても利用できる。
【００１９】
第２の部材２０は、右側の立ち上がり（右方支持部、右側部）２２と、左側の立ち上がり（左方支持部、左側部）２１と、右側の立ち上がり２２および左側の立ち上がり２１を接続するベース部（底部）２３とを含む。第２の部材２０の幅Ｍ２は、収納スペース２に収納される袋などの商品５の前後の長さＬ２よりも短くなるように構成されている。第２の部材２０も、第１の部材１０と同様の棒状の部材８がベース部２３から両端部を左右の立ち上がり２１および２２を構成するように折り曲げている。したがって、第２の部材２０は、棒状の部材８が輪郭沿って曲げられ、輪郭が棒状の部材８により形成されたシンプルな構成となっている。
【００２０】
第１の部材１０と第２の部材２０とは十字になるように組み合わされ、第１の部材１０のベース部１３と第２の部材２０のベース部２３との４か所の接触部分が溶接または接着などの方法により接合されている。
【００２１】
ディスプレイスタンド１は、さらに、第１の部材１０の前後の立ち上がり１１および１２を、前方の立ち上がり１１より後方の立ち上がり１２が高くなるように支持する第３の部材３０を有する。第３の部材３０も、上記の部材１０および２０と同様に棒状の部材８をコの字型に曲げた底部３１と、底部３１の両先端を、横向きに折り曲げて形成された接続部３２とを含む。第３の部材３０は、接続部３２が第２の部材２０に、溶接または接着などの方法により接合されており、収納スペース２を傾けて配置する脚として機能する。
【００２２】
図３に、ディスプレイスタンド１に長方形の商品５を垂直方向に一列に積み上げて収納した状態を側面図により示している。図４に、ディスプレイスタンド１に長方形の商品５を垂直方向に一列に積み上げて収納した状態を正面図により示している。図５に、ディスプレイスタンド１に長方形の商品５を垂直方向に一列に積み上げて収納した状態を斜視図により示している。
【００２３】
図３および４に示すように、第２の部材２０の左右の立ち上がり２１および２２の長さＭ２は、収納スペース２の前後の長さＬ２よりも短く、第１の部材１０の前後の立ち上がり１１および１２の長さＭ１は、収納スペース２の左右の長さ（幅）Ｌ１より短い。前後左右の立ち上がり１１、２１、１２および２２は、収納スペース２の周囲に断続的に配置された側部（支持部材、ガイド）となり、それぞれの立ち上がり１１、２１、１２および２２同士の間、すなわち収納スペース２のコーナ部付近に隙間３が形成される。
【００２４】
この長方形の収納スペース２に、収納スペース２に入るサイズの長方形の商品、例えば、種袋５を積み重ねて入れると、商品５のコーナ部５ａがこれらの隙間３を介して外に現れ、ディスプレイスタンド１の外側から容易に商品５にアクセスできる。このため、顧客は収納スペース２の商品５を容易に手に取ってみることができる。また、店舗のスタッフが収納スペース２に商品５を補充したり、入れ替えたりすることも容易となる。
【００２５】
図３に示すように、第１の部材１０の前方の立ち上がり１１は、ベース部１３に対して、ほぼ垂直となるように折り曲げられ、ベース部１３の上に段済み（積層）された複数の商品５をベース部１３に対して垂直な方向（第３の部材３０により傾いた方向）に揃えて支持する。一方、後方の立ち上がり１２は、ベース部１３に対して、垂直よりもわずかに鈍角となるように、ベース部１３の垂直方向に対して角度θ１だけ、積み重ねられた商品５から遠くなるように（離れるように）折り曲げられている。したがって、商品５の上部と第１の部材１０の後方の立ち上がり１２との間にはスペースがあるので、商品５の上部をもって収納スペース２から商品５を取り出すことも容易である。このように、収納スペース２に収納された商品５を顧客は様々な位置、角度から取り出しやすく、顧客が商品５を手に取る機会を逸しないように工夫されている。
【００２６】
第３の部材３０は、収納スペース２をテーブル（平台）７などの表面に対して角度θ２だけ傾けて支持する。角度θ２の一例は２０度程度であるが、５度から４５度であることが好ましく、１０度から３０度であることがさらに好ましい。収納スペース２をテーブル７などの水平面に対して角度θ２だけ傾けて支持することにより、収納スペース２内に上向きに収納された商品５の表面を前方に傾けることができ、間近の顧客だけではなく、距離が離れた顧客に対しても展示している商品５をアピールすることができる。さらに、収納スペース２が角度θ２だけ傾いていることで商品５が前方の立ち上がり１１に沿って自動的に整列され、また、ディスプレイスタンド１の占有スペースを縮小できる。このため、展示場所の制限が少なく、様々な場所に設置でき、商品５を見やすく展示できるディスプレイスタンド１を提供できる。
【００２７】
また、第１の部材１０および第２の部材２０は、棒状部材８を輪郭に沿って折り曲げて形成している。このため、第１の部材１０および第２の部材２０の立ち上がり１１、１２、２１および２２は、それぞれの間に設けられる隙間３のみならず、内側の空間４を通してでも、顧客は商品５を視認できる。また、第１の部材１０および第２の部材２０は輪郭のみが棒状の部材８で構成されているためにシンプルなデザインであり、収納されている商品５を、より目立つように展示できる。
【００２８】
第４の部材４０は、収納された商品５を顧客が手に取る際に見やすい上向きの角度に設定されており、収納された商品５の宣伝広告などに関する情報を記載したポップ４５を取り付けることができる。したがって、このディスプレイスタンド１は、さらに顧客の購買意欲を刺激することが可能であり、様々な場所に設置して、商品５を展示するのに適している。ポップ４５は、第１の部材１０の前方の立ち上がり１１に取り付けてもよい。
【００２９】
図６に、ディスプレイスタンド１が前後および左右に並べられて構成されたディスプレイスペース９を示している。ディスプレイスタンド１は様々な場所に１つずつ分散して配置してもよく、複数のディスプレイスタンド１をテーブル７などの上に並べてディスプレイスペース９を構成してもよい。適度な角度で傾いたディスプレイスタンド１を用いることにより、複数のディスプレイスタンド１を並べるスペースを削減でき、また、前後に並べられたディスプレイスタンド１の内部の商品も見やすい状態で展示できる。図６においては、ディスプレイスタンド１を前後左右に６個並べた様子を示している。ディスプレイスペース９の配置方法、数は、これに限定されず、並べ方も直線であっても、曲線であっても、千鳥状などであってもよい。適当な数のディスプレイスタンド１をテーブル７の上に並べることにより、所望の数の種類の商品（袋）５を展示するディスプレイスペース９をフレキシブルに構成できる。たとえば、レジカウンタの上、食器売り場の棚の上、特設コーナなどに、適当な数のディスプレイスタンド１を配置することにより所望のディスプレイスペース９を構成でき、顧客の購買意欲を刺激できる。
【００３０】
図７に、異なるディスプレイスタンド１ａの構成を側面図により示している。ディスプレイスタンド１ａも、ディスプレイスタンド１と同様に、第１の部材１０、第２の部材２０、第３の部材３０および第４の部材４０を含む。ディスプレイスタンド１ａの第１の部材１０の前方の立ち上がり１１は、テーブル７面に対してほぼ垂直になるようにベース部１３から折り曲げられ、ベース部１３の上に段済み（積層）された複数の商品５をテーブル７に対して垂直な方向に揃えて支持する。また、後方の立ち上がり１２は、ベース部１３に対して鈍角となるように、テーブル７の垂直方向に対して角度θ１だけ、積み重ねられた商品５から離れるように折り曲げられている。このディスプレイスタンド１ａにおいても、第１の部材１０および第２の部材２０の前後左右の立ち上がり１１、１２、２１および２２により収納スペース２が形成され、それぞれの立ち上がり１１、２１、１２および２２同士の間に隙間３が形成されている。
【００３１】
このため、商品５のコーナ部５ａがこれらの隙間３を介して外に現れ、ディスプレイスタンド１の外側から容易に商品５にアクセスできるとともに、後方の立ち上がり１２とのスペースを利用して、商品５の上部を持って収納スペース２から商品５を取り出すことも容易であり、商品５を取扱い易いディスプレイスタンドを提供できる。また、前方の立ち上がり１１がテーブルに対して垂直となるように構成されているので、さらに設置スペースを削減できる。さらに、商品５によっては積み重ねられた上部の商品５ほどベース部１３および２３に対して後側が持ち上がる（立ち上がる）ように配列され、上方から商品５をさらに取り出しやすい。
【００３２】
第３の部材３０は、ディスプレイスタンド１よりも角度θ２が大きくなるように（例えば、３０度）、底部３１の立ち上がり３３を長く設定している。したがって、さらに省スペースで、遠くからでも商品を視認でき、設置場所の制限の少ないディスプレイスタンド１ａを提供できる。また、第３の部材３０の立ち上がり３３から横向きに折り曲げられて形成された接続部３４は、第２の部材２０の底部２３の幅よりも長くなるように構成され、第２の部材２０の底部２３と４か所で固定されている。したがって、ディスプレイスタンド１ａの強度を高めることができ、さらに自在はディスプレイ方法を選択できる。
【００３３】
以上においては、第１の部材１０が前方の立ち上がり１１および後方の立ち上がり１２を含むディスプレイスタンド１および１ａを例に説明したが、第１の部材１０は後方の立ち上がり１２を含まないタイプのディスプレイスタンドであってもよい。ディスプレイスタンドの後方からも商品５を出し入れし易いとともに、設置場所をさらに削減できる。また、ポップを取り付ける第４の部材を前方の立ち上がり１１に設けてもよい。
【００３４】
また、金属製の棒状部材で輪郭を形成するように形成された第１の部材１０、第２の部材２０および第３の部材３０を一例として説明したが、第１の部材１０、第２の部材２０および／または第３の部材３０は、プラスチック、木材、竹、紙などであってもよく、棒状部材はパイプ、角材などであってもよく、さらに、第１の部材１０、第２の部材２０および／または第３の部材３０は、板材、網などの多孔性の部材などの輪郭ではなく面（壁面）を構成する部材であってもよく、前後左右の立ち上がり部１１、１２、２１および２２は、それぞれ１つに限らず、複数であってもよい。また、脚部である第３の部材３０は前後に配置されていてもよく、角度が可変なものであってもよい。
【符号の説明】
【００３５】
１、１ａ  ディスプレイスタンド、  ２  収納スペース、  ９  ディスプレイスペース
１０  第１の部材、  １１  前方の立ち上がり、  １２  後方の立ち上がり
２０  第２の部材、  ２１  左側の立ち上がり、  ２２  右側の立ち上がり
３０  第３の部材
４０  第４の部材
【図１】
0003205978.tif 000003
【図２】
0003205978.tif 000004
【図３】
0003205978.tif 000005
【図４】
0003205978.tif 000006
【図５】
0003205978.tif 000007
【図７】
0003205978.tif 000008
【図６】
0003205978.tif 000009